(57)【特許請求の範囲】
【請求項１】
排水から取り除かれた排水夾雑物が落下するシュートの下方に、処理容器が移動されて、その処理容器内にシュートから落下する排水夾雑物が投入されるとともに、排水夾雑物が投入された処理容器が、焼却室内に移動されて、焼却室内にて処理容器内の排水夾雑物が焼却処理されるようになっており、さらに、シュートの下方に配置された処理容器が水平軸回りに回転されるようになった排水夾雑物焼却装置であって、シュートの下端部に、上下方向にスライド可能に押圧板が設けられるとともに、筒状のガイド体がその内部に配置された押圧板に支持されており、下方にスライドした押圧板に追従して下方にスライドしたガイド体の下端部がシュートの下方に移動した処理容器内に嵌合支持されて、シュートを流下する排水夾雑物がガイド体によって処理容器内に案内され、さらに、下方にスライドした押圧板によって処理容器内に投入される排水夾雑物が押圧されることを特徴とする排水夾雑物焼却装置。
【発明の詳細な説明】
【０００１】
【発明の属する技術分野】
本発明は、農業集落からの排水や産業排水等を処理する際に、排水から取り除かれる夾雑物（し渣）を焼却処理するために使用される排水夾雑物焼却装置に関する。
【０００２】
【従来の技術】
農業集落からの排水、産業排水等を処理する際には、排水中に含まれる紙、布、ビニール等の夾雑物（し渣）を予め排水から取り除くことによって、後工程における排水処理の負担およびコストを軽減することができる。このために、排水処理施設の前処理工程として、排水中の夾雑物を排水から取り除いて、取り除かれた夾雑物を焼却処理することが実施されており、例えば、特開平８−１９９６７２号公報に開示された排水夾雑物処理ユニットが使用される。
【０００３】
この公報に開示された排水夾雑物処理ユニットでは、排水から取り除かれて脱水処理された排水夾雑物が、排水夾雑物焼却装置によって焼却処理されるようになっている。排水夾雑物焼却装置は、排水夾雑物を焼却処理する焼却室が設けられた焼却本体部と、焼却本体部の焼却室内に移動可能になった一対の処理容器とを有している。各処理容器は、脱水処理された排水夾雑物が落下するシュートの下方と、焼却本体部における焼却室内とに交互に配置されるようになっており、焼却室内に配置された処理容器内の排水夾雑物が、マイクロ波を照射されつつ焼却処理される。
【０００４】
排水夾雑物が焼却処理された後に、シュートの下方に配置されている処理容器内に排水夾雑物が満杯に充填されると、その処理容器が焼却室内に移動されるとともに、焼却処理された排水夾雑物を収容する処理容器が、シュートの下方に移動される。そして、シュートの下方に移動された処理容器は、その位置にて水平軸回りに１８０°にわたって回転されて上下方向を反転され、内部の焼却灰が下方に排出される。その後、シュートの下方に位置する処理容器は、再度１８０°にわたって回転されて上下方向が反転され、内部がシュートに対向した状態とされて、シュートから落下される新たな排水夾雑物が処理容器内に投入される。このとき、焼却室内に移動された処理容器内の排水夾雑物が焼却処理されることになる。
【０００５】
【発明が解決しようとする課題】
このような排水夾雑物焼却装置では、シュートの下方に配置された処理容器が、焼却処理された排水夾雑物を排出するために、水平軸回りに回転されるようになっているために、シュートの下方に位置される処理容器とシュートの下端部との間に適当な間隔が設けられている。このように、シュートと処理容器との間に間隔が設けられていると、シュートから落下する排水夾雑物が、確実に処理容器内に投入されず、処理容器からはみ出すおそれがある。特に、シュート内を落下する排水夾雑物は、形状および大きさが一定しないために、処理容器からはみ出すおそれがおおきい。排水夾雑物が処理容器からはみ出た状態で、焼却室内に移動されて焼却処理されると危険であるために、警報等が発せられて、焼却処理が中断されることになる。
【０００６】
本発明は、このような問題を解決するものであり、その目的は、シュートから落下する排水夾雑物を確実に処理容器内に投入することができ、従って、処理容器内の排水夾雑物を確実に焼却処理することができて、焼却処理作業が安定的に実施することができる排水夾雑物焼却装置を提供することにある。
【０００７】
【課題を解決するための手段】
本発明の排水夾雑物焼却装置は、排水から取り除かれた排水夾雑物が落下するシュートの下方に、処理容器が移動されて、その処理容器内にシュートから落下する排水夾雑物が投入されるとともに、排水夾雑物が投入された処理容器が、焼却室内に移動されて、焼却室内にて処理容器内の排水夾雑物が焼却処理されるようになっており、さらに、シュートの下方に配置された処理容器が水平軸回りに回転されるようになった排水夾雑物焼却装置であって、シュートの下端部に、上下方向にスライド可能に押圧板が設けられるとともに、筒状のガイド体がその内部に配置された押圧板に支持されており、下方にスライドした押圧板に追従して下方にスライドしたガイド体の下端部がシュートの下方に移動した処理容器内に嵌合支持されて、シュートを流下する排水夾雑物がガイド体によって処理容器内に案内され、さらに、下方にスライドした押圧板によって処理容器内に投入される排水夾雑物が押圧されることを特徴とする。
【０００９】
【発明の実施の形態】
以下、本発明の実施の形態を図面に基づいて説明する。図１は、本発明の排水夾雑物焼却装置の実施の形態の一例を示す概略構成図、図２は、図１における矢印Ａで示す方向の要部の正面図である。この排水夾雑物焼却装置は、脱水処理された夾雑物が投入される一対の処理容器２１が設けられた容器旋回体２０と、この容器旋回体２０を水平状態で支持するとともに、夾雑物を焼却する機構が内部に設けられた焼却本体部１０とを有している。
【００１０】
焼却本体部１０の上下方向の中程における下部寄りの位置には、水平方向に沿った空間部が形成されており、その空間部が焼却室１１になっている。この焼却室１１は、焼却本体部１０の正面および各側面に開放されている。
【００１１】
焼却室１１の上方である焼却本体部１０の上部には、マイクロ波を発生させるマグネトロン１３、およびマグネトロン１３から発生されたマイクロ波を焼却室１１内にまで導く導波管１４が設けられており、また、マグネトロン１３の近傍には、焼却室１１にエアーを供給する給気ファン１５が設けられている。さらに、焼却室１１の上方には、電子式の着火装置１６が設けられている。
【００１２】
焼却本体部１０における焼却室１１の下方に位置する下方部分は、焼却室１１の上方部分よりも前方に突出した状態になっており、その先端部に、容器旋回体２０の中央部が水平方向に回転可能に支持されている。
【００１３】
容器旋回体２０は、焼却室１１の内部から焼却室１１の前方に延出するように水平状態で配置された容器ホルダー２２を有しており、その容器ホルダー２２の中央部が、焼却室１１の下方における前方に突出した先端部に、回転可能に支持されている。容器ホルダー２２の中央部は、焼却本体部１０の下部内に配置された旋回用モーター１２によって水平方向に回転されるようになっている。
【００１４】
容器ホルダー２２には、回転中心を夾んで一対の処理容器２１が取り付けられている。各処理容器２１は、それぞれ上面が開放された厚肉の円筒状に構成されており、焼却室１１の内部から前方に延出する容器ホルダー２２の長手方向とは直交状態になった各水平軸２４によって、各水平軸２４回りに回転し得るようにそれぞれ支持されている。各処理容器２１を支持する水平軸２４は、容器ホルダー２２の各側面にそれぞれ取り付けられた反転モーター２３によって、１８０°にわたって間欠的に回転されるようになっている。
【００１５】
容器ホルダー２２は、旋回用モーター１２によって１８０°にわたって間欠的に回転されるようになっており、一方の処理容器２１が焼却室１１内に配置されて、他方の処理容器２１が焼却本体部１０の前方に配置された状態が、順次、繰り返される。
【００１６】
焼却本体部１０の前方に配置される処理容器２１の上方には、その処理容器２１内に脱水処理された排水夾雑物を投入するシュート３１が設けられている。このシュート３１は、排水夾雑物分離装置によって排水から分離されて脱水処理された排水夾雑物が落下するようになっている。シュート３１は、全体にわたって角筒状をしており、下端部を除いて傾斜するとともに、シュート３１の下端部が垂直になっている。垂直になったシュート３１の下端部は、焼却本体部１０の焼却室１１の外部に配置される処理容器２１に対して、処理容器２１が水平軸２４回りに回転し得るように、適当な間隔をあけた状態で対向している。
【００１７】
シュート３１の下端部には、スライド体３２が上下方向へのスライド可能に設けられており、このスライド体３２には、シュート３１内を落下する排水夾雑物を処理容器２１内に案内するガイド体３３が上下方向へのスライド可能に取り付けられている。スライド体３２は、焼却本体部１０の前面に取り付けられた電動シリンダ３４によって、上下方向へのスライド可能に保持されており、スライド体３２が上方にスライドされると、スライド体３２に追従してガイド体３３も上方にスライドされるようになっている。
【００１８】
図３（ａ）は、ガイド体３３の平面図、図３（ｂ）は、そのガイド体３３の側面図である。ガイド体３３は、上面が下面よりも大径になった円錐台状をしており、下面が開放された状態になっている。ガイド体３３の上面は、中央部に四角形状の開口部３３ｂが設けられたカバー面３３ａによって覆われている。カバー面３３ａの開口部３３ｂには、スライド体３２に設けられた角筒状のスライド本体３２ａが挿通するようになっている。また、カバー面３３ａには、開口部３３ｂを夾んだ軸対称の２位置に、比較的小さな円形状の貫通孔３３ｃがそれぞれ設けられている。さらに、ガイド体３３における周面の上部には、一対の窓部３３ｄが軸心対称の２位置に設けられている。
【００１９】
ガイド体３３は、その下方に配置される処理容器２１と同心状態になるように配置されており、処理容器２１の上端部内に、ガイド体３３の下端部が嵌入し得るようになっている。ガイド体３３の周面における下部には、周方向に等しい間隔をあけて、それぞれが放射方向に突出する３本のピン３３ｅが設けられている。各ピン３３ｅは、ガイド体３３の下端部が処理容器２１の上端部内に嵌合された際に、処理容器２１の上端面に当接して、ガイド体３３を位置決めするようになっている。
【００２０】
図４（ａ）は、シュート３１の下端部にスライド可能に配置されたスライド体３２の平面図、図４（ｂ）は、その側面図、図４（ｃ）は、その正面図である。スライド体３２は、ガイド体３３のカバー面３３ａにおける開口部３３ｂ内を挿通する角筒状のスライド本体３２ａと、このスライド本体３２ａの下端部に同心状態で水平に嵌合された円板状の押圧板３２ｂとを有している。スライド本体３２ａは、シュート３１の下端部内に上下方向へのスライド可能に嵌合される角筒状をしており、押圧板３２ｂがガイド体３３の内部に配置された状態で、ガイド体３３のカバー面３３ａに設けられた開口部３３ｂを挿通している。
【００２１】
押圧板３２ｂの軸対称の２位置には、スライド本体３２ａの相対向する各側面に沿って垂直に配置された連結ロッド３２ｃの下端部がそれぞれ取り付けられている。各連結ロッド３２ｃの上端部には、図１に示すように、水平に配置された各水平ロッド３５の一方の端部がそれぞれ取り付けられている。各水平ロッド３５の他方の端部は、焼却本体部１０に近接しており、焼却本体部１０に近接した各水平ロッド３５の端部は、一括して、焼却本体部１０に取り付けられた電動シリンダ３４のピストンロッド３４ａに取り付けられている。電動シリンダ３４は、ピストンロッド３４ａが下方に進出するように、焼却本体部１０に垂直に取り付けられている。
【００２２】
電動シリンダ３４のピストンロッド３４ａが下方に進出すると、ピストンロッド３４ａの先端部に取り付けられた各水平ロッド３５は、水平な状態で一体となって下方に平行移動し、各水平ロッド３５に取り付けられた各連結ロッド３２ｃが垂直状態を保持して下方にスライドされる。これにより、各連結ロッド３２ｃの下端部に取り付けられた押圧板３２ｂが、水平な状態を保持して下方に平行移動される。
【００２３】
ガイド体３３の周面に設けられた一方の窓部３３ｄには、処理容器２１内に投入された排水夾雑物が、処理容器２１内にて満杯になったことを検知する満杯センサー３６が配置されている。この満杯センサー３６は、ガイド体３３の窓部３３ｄを通して処理容器２１に光を照射して、その反射光に基づいて、処理容器２１内に排水夾雑物が満杯になっていることを検知するようになっている。満杯センサー３６は、シュート３１の下端部に、ブラケット３７を介して取り付けられている。
【００２４】
このような構成の排水夾雑物焼却装置の動作は、次の通りである。シュート３１の下方に、一方の処理容器２１が配置される。このとき、図５（ａ）に示すように、電動シリンダ３４のピストンロッド３４ａが最も上方に位置されて、スライド体３２も最も上方にスライドされた状態とされる。その結果、スライド体３２に設けられた押圧板３２ｂは、ガイド体３３のカバー面３３ａに係止して、ガイド体３３が上方に持ち上げられており、ガイド体３３は、処理容器２１に対して適当な間隔をあけた状態で上方に位置されている。そして、容器旋回体２０が旋回して、一方の処理容器２１がガイド体３３の下方に配置されると、電動シリンダ３４のピストンロッド３４ａが下方にスライドされて、図５（ｂ）に示すように、ガイド体３３の下端部が、処理容器２１の上端部内に嵌入して、ガイド体３３の下端部に設けられた各ピン３３ｅが、処理容器２１の上端面に当接した状態になる。
【００２５】
このような状態になると、排水から取り出されて脱水処理された夾雑物が、シュート３１を通って、その下方の処理容器２１内に投入される。シュート３１の下端部を通過した夾雑物は、スライド体３２のスライド本体３２ａから、ガイド体３３の周面にて囲まれた処理容器２１の上方域を通って、処理容器２１内に投入される。スライド本体３２ａから下方に落下する排水夾雑物は、下端部が処理容器２１内に嵌合されたガイド体３３の周面に案内されて、確実に処理容器２１内に投入され、処理容器２１からはみ出すおそれがない。
【００２６】
処理容器２１内に投入される排水夾雑物が、処理容器２１内にほぼ満杯に投入されると、その状態が満杯センサー３６によって検知される。これにより、電動シリンダ３４が駆動されてピストンロッド３４ａが下降される。ピストンロッド３４ａが下降されると、スライド体３２全体が下降し、ガイド体３３内に配置された押圧板３２ｂがガイド体３３内を下降して、図５（ｃ）に示すように、処理容器２１内に投入された排水夾雑物を処理容器２１内に押し込む。これにより、処理容器２１内に投入された排水夾雑物は、処理容器２１内に充填される。
【００２７】
その後、電動シリンダ３４が駆動されてピストンロッド３４ａが上昇され、図５（ｄ）に示す状態になり、さらに、ピストンロッド３４ａが上昇されることによって、図５（ａ）に示すように、ガイド体３３は、スライド体３２の押圧板３２ｂによって上方に持ち上げられて、処理容器２１の上方に位置される。
【００２８】
このようにして、処理容器２１内に排水夾雑物が充填された状態になると、容器旋回体２０が、旋回モーター１２によって１８０°にわたって水平方向に旋回され、排水夾雑物が投入された処理容器２１は、焼却室１１内に配置される。このとき、当初、焼却室１１内に配置された処理容器２１は、スライド体３２によって上方に持ち上げられたガイド体３３の下方に配置され、前述した動作と同様の動作によって、排水夾雑物がその処理容器２１内に充填される。
【００２９】
ガイド体３３の下方の処理容器２１内に夾雑物が充填される間に、焼却室１１内に配置された処理容器２１内の排水夾雑物が焼却処理される。この場合、焼却本体部１１は、マグネトロン１３からマイクロ波を発生させて、発生したマイクロ波を、導波管１４を介して、焼却室１１内に配置された処理容器２１内の排水夾雑物に照射する。処理容器２１内の排水夾雑物は、マイクロ波が照射されることにより、水分が蒸発されて乾燥されるとともに、可燃ガスを発生する。その後、電子式の着火装置１６によって、可燃ガスに着火し、処理容器２１内の排水夾雑物を燃焼させる。処理容器２１内の排水夾雑物が燃焼すると、排水夾雑物は炭化した状態になり、マグネトロン１３から照射されるマイクロ波によって、炭化された排水夾雑物が燃焼される。
【００３０】
このようにして、処理容器２１内の排水夾雑物が完全に焼却されると、処理容器２１が強制的に冷却されて、容器旋回体２０が水平方向に１８０°にわたって旋回される。これにより、排水夾雑物の焼却灰が収容された処理容器２１が焼却室１１の外部におけるシュート３１の下方に配置されるとともに、シュート３１によって排水夾雑物が投入された処理容器２１が焼却室１１内に配置される。そして、焼却室１１内に配置された処理容器２１の排水夾雑物が、前述したように、焼却処理される。
【００３１】
排水夾雑物の焼却灰が収容された処理容器２１が、シュート３１の下方に配置されると、反転モーター２３が駆動されて、処理容器２１が、水平軸２４回りに１８０°にわたって反転される。この場合、シュート３１の下方に設けられたガイド体３３は、上方にスライドされたスライド体３２によって上方に持ち上げられた状態になっており、水平軸２４回りに反転される処理容器２１がガイド体３３に衝突するおそれがない。処理容器２１が上下方向を反転された状態になると、処理容器２１内に収容された排水夾雑物の焼却灰が、その下方に配置された適当な容器内に排出される。その後、処理容器２１が、水平軸２４回りに１８０°にわたって反転され、処理容器２１の内部がシュート３１の下端部に対抗されて、前述したように、シュート３１から投入される排水夾雑物が処理容器２１内に充填される。以下、同様の動作が繰り返される。
【００３２】
【発明の効果】
本発明の排水夾雑物焼却装置は、このように、シュートの下端部に押圧板を介して上下方向へのスライド可能にガイド体が配置されており、シュートの下方に処理容器が配置された際に、ガイド体の下端部が処理容器内に嵌合された状態になるために、シュートから落下する排水夾雑物が、ガイド体に案内されて処理容器内に確実に投入される。従って、処理容器内に投入される排水夾雑物が、処理容器からはみ出すおそれがない。また、処理容器が水平軸回りに回転される際には、ガイド体が上方にスライドされるために、ガイド体が処理容器と衝突するおそれもない。さらに、ガイド体内には、処理容器内に投入された排水夾雑物を処理容器内に押し込む押圧板が設けられているために、押圧板によって処理容器内に投入された排水夾雑物が処理容器内に押し込められることにより、処理容器から排水夾雑物がはみ出すことが、一層確実に防止される。
【図面の簡単な説明】
【図１】本発明の排水夾雑物焼却装置の一例を示す概略構成図である。
【図２】図１に矢印Ａで示す方向からの排水夾雑物焼却装置の要部の正面図である。
【図３】（ａ）は、図１に示す排水夾雑物焼却装置に使用されるガイド体の平面図、（ｂ）は、その側面図である。
【図４】（ａ）は、図１に示す排水夾雑物焼却装置に使用されるスライド体の平面図、（ｂ）は、その側面図、（ｃ）は、その側面図である。
【図５】（ａ）〜（ｄ）は、それぞれ、図１に示す排水夾雑物焼却装置の動作説明図である。
【符号の説明】
１０  焼却本体部
１１  焼却室
１２  旋回モーター
１３  マグネトロン
１４  導波管
２０  容器旋回体
２１  処理容器
２２  容器ホルダー
２３  反転モーター
２４  水平軸
３１  シュート
３２  スライド体
３２ａ  スライド本体
３２ｂ  押圧板
３２ｃ  連結ロッド
３３  ガイド体
３４  電動シリンダ
３６  満杯センサー
【図１】
0003880732.tif 000002
【図２】
0003880732.tif 000003
【図３】
0003880732.tif 000004
【図４】
0003880732.tif 000005
【図５】
0003880732.tif 000006